(57)【要約】      （修正有）【課題】空気の噴射・吸引を利用して清浄化対象物に付着している異物を除去し、清浄化対象物への異物の付着状態にかかわらず有効に除去機能を発揮できるようにし、装置規模を小型にした異物除去装置を提供する。【解決手段】正圧または圧力空気を生成する単一の圧力空気源１と、圧力空気源１に接続され圧力空気源で生成された圧力空気に加えて逆の負圧の圧力空気を生成する中継器２と、中継器２に接続され空気を噴射して清浄化対象物Ｍに付着している異物を吹飛ばす噴射ノズル３と、中継器２に接続され空気を吸引して清浄化対象物Ｍに付着している異物を吸込む吸引ノズル４と、中継器２と吸引ノズル４との間に接続され異物を捕捉する異物捕捉用フィルタ５とを備えた。【選択図】図１
0003166552.tif 000002
【実用新案登録請求の範囲】
【請求項１】
正圧または負圧の圧力空気を生成する単一の圧力空気源と、圧力空気源に接続され圧力空気源で生成された圧力空気に加えて逆の正圧または負圧の圧力空気を生成する中継器と、中継器に接続され空気を噴射して清浄化対象物に付着している異物を吹飛ばす噴射ノズルと、中継器に接続され空気を吸引して清浄化対象物に付着している異物を吸込む吸引ノズルと、中継器と吸引ノズルとの間に接続され異物を捕捉する異物捕捉用フィルタとを備えたことを特徴とする異物除去装置。
【請求項２】
請求項１の異物除去装置において、圧力空気源は正圧の圧力空気を生成するコンプレッサからなり、中継器は正圧の圧力空気を高速低圧化させて負圧を生じさせるエジェクタからなることを特徴とする異物除去装置。
【請求項３】
請求項１または２の異物除去装置において、吸引ノズルは少なくとも一部にフレキシブル性を有する端末チューブで異物捕捉用フィルタに接続されていることを特徴とする異物除去装置。
【考案の詳細な説明】
【技術分野】
【０００１】
本考案は、空気の噴射，吸引を利用して清浄化対象物に付着している異物を除去する異物除去装置に係る技術分野に属する。
【背景技術】
【０００２】
空気の噴射，吸引を利用する異物除去装置は、異物を除去する清浄化作業において清浄化対象物との機械的接触が避けられ、清浄化対象物の損傷防止，衛生保持等を図ることができる特徴がある。このため、空気の噴射，吸引を利用する異物除去装置が精密部品，食品等の広範な清浄化対象物に適用されるようになってきている。
【０００３】
従来、異物除去装置としては、例えば、特許文献１に記載のものが知られている。
【０００４】
特許文献１には、搬送手段によって搬送される製パン用食型からなる清浄化対象物に対して、清浄化対象物の上部を覆うフードから空気の吸引と空気の噴射とを行って異物を除去する異物除去装置が記載されている。
【０００５】
特許文献１に係る異物除去装置は、フードで囲まれる空間の内部で空気の噴射で吹飛ばした異物を空気の吸引で回収するものである。
【先行技術文献】
【特許文献】
【０００６】
【特許文献１】特開２００８−２００５６８号公報
【考案の概要】
【考案が解決しようとする課題】
【０００７】
特許文献１に係る異物除去装置では、空気の噴射，吸引の双方を異物の吹飛ばし，回収のために同時的に使用し、空気の噴射，吸引をそれぞれ異物の除去に選択的に使用することができないため、清浄化対象物への異物の付着状態によっては有効に除去機能を発揮することができないという問題点がある。また、清浄化対象物の上部を覆うフードに空気の吸引系と空気の噴射系とを接続するため、装置規模が大型化してしまうという問題点がある。
【０００８】
本考案は、このような問題点を考慮してなされたもので、清浄化対象物への異物の付着状態にかかわらず有効に除去機能を発揮することができる装置規模が小型の異物除去装置を提供することを課題とする。
【課題を解決するための手段】
【０００９】
前述の課題を解決するため、本考案に係る異物除去装置は、実用新案登録請求の範囲の各請求項に記載の手段を採用する。
【００１０】
即ち、請求項１では、正圧または負圧の圧力空気を生成する単一の圧力空気源と、圧力空気源に接続され圧力空気源で生成された圧力空気に加えて逆の正圧または負圧の圧力空気を生成する中継器と、中継器に接続され空気を噴射して清浄化対象物に付着している異物を吹飛ばす噴射ノズルと、中継器に接続され空気を吸引して清浄化対象物に付着している異物を吸込む吸引ノズルと、中継器と吸引ノズルとの間に接続され異物を捕捉する異物捕捉用フィルタとを備えたことを特徴とする。
【００１１】
この手段では、単一の圧力空気源に対して、中継器を介して、空気を噴射して清浄化対象物に付着している異物を吹飛ばす噴射ノズルと、中継器に接続され空気を吸引して清浄化対象物に付着している異物を吸込む吸引ノズルとを別個に接続することで、空気の噴射，吸引をそれぞれ異物の除去に選択的に使用することができるようにするとともに、装置規模の大型化を避けている。
【００１２】
また、請求項２では、請求項１の異物除去装置において、圧力空気源は正圧の圧力空気を生成するコンプレッサからなり、中継器は正圧の圧力空気を高速低圧化させて負圧を生じさせるエジェクタからなることを特徴とする。
【００１３】
この手段では、圧力空気源がコンプレッサとされ、中継器がエジェクタとされることで、圧力空気源，中継器として汎用化され安価に入手しやすい機器が選択される。
【００１４】
また、請求項３では、請求項１または２の異物除去装置において、吸引ノズルは少なくとも一部にフレキシブル性を有する吸引用チューブで異物捕捉用フィルタに接続されていることを特徴とする。
【００１５】
この手段では、吸引ノズルがフレキシブル性を有する吸引用チューブに接続されることで、吸引ノズルの空気の吸引先端の位置を自由に変更することができるようになる。
【考案の効果】
【００１６】
本考案に係る異物除去装置は、単一の圧力空気源に対して、中継器を介して、空気を噴射して清浄化対象物に付着している異物を吹飛ばす噴射ノズルと、中継器に接続され空気を吸引して清浄化対象物に付着している異物を吸込む吸引ノズルとを別個に接続することで、空気の噴射，吸引をそれぞれ異物の除去に選択的に使用することができるようにするとともに、装置規模の大型化を避けているため、清浄化対象物への異物の付着状態にかかわらず有効に除去機能を発揮することができて装置規模が小型である効果がある。
【００１７】
さらに、請求項２として、圧力空気源がコンプレッサとされ、中継器がエジェクタとされることで、圧力空気源，中継器として汎用化され安価に入手しやすい機器が採用されるため、部品コストが低減され安価に製造することができる効果がある。
【００１８】
さらに、請求項３として、吸引ノズルがフレキシブル性を有する吸引用チューブに接続されることで、吸引ノズルの空気の吸引先端の位置を自由に変更することができるようになるため、清浄化対象物の形状等に対応して吸引ノズルの最適の吸引位置を選択して異物を確実に除去することができる効果がある。
【図面の簡単な説明】
【００１９】
【図１】本考案に係る異物除去装置を実施するための形態の第１例の側面図である。
【図２】図１の圧力空気の流通回路図である。
【図３】図１の要部の拡大断面図である。
【図４】図３の分解図である。
【図５】本考案に係る異物除去装置を実施するための形態の第２例の要部の側面図であり、（Ａ），（Ｂ）に異なる使用状態が示されている。
【考案を実施するための形態】
【００２０】
以下、本考案に係る異物除去装置を実施するための形態を図面に基づいて説明する。
【００２１】
図１〜図４は、本考案に係る異物除去装置を実施するための形態の第１例を示すものである。
【００２２】
第１例には、卓上設置タイプに構成され、トレイからなる容器Ｐに載せられた果物からなる清浄化対象物Ｍに適用されるものが示されている。
【００２３】
第１例は、図１，図２に示すように、圧力空気源１，中継器２，噴射ノズル３，吸引ノズル４，異物捕捉用フィルタ５を主要部として構成されている。
【００２４】
圧力空気源１は、コンプレッサ（エアコンプレッサ）のように正圧（加圧）の圧力空気を生成するもので、好ましくは内部の油，粉塵を捕捉するフィルタ（図示せず）を内蔵したものが選択されて多数基ではなく１基が床面Ｆに設置されている。
【００２５】
この圧力空気源１には、床面Ｆの上部の作業テーブルＴまで配設される供給用チューブ６が接続されている。なお、供給用チューブ６の途中には、床面Ｆに設置されて供給用チューブ６の内部の圧力空気の流通を断続する足踏式のフートスイッチ７が接続されている。
【００２６】
中継器２は、図２に詳細に示されるように、インレット２ａとアウトレット２ｂとの間に絞込まれた流路２ｃが形成され、流路２ｃに分岐インレット２ｄが接続された３方パイプ形のエジェクタからなる。インレット２ａには、供給用チューブ６が接続される。アウトレット２ｂには、噴射ノズル３に接続される噴射用チューブ８が接続される。分岐インレット２ｄには、吸引ノズル４に接続される吸引用チューブ９が接続される。従って、この中継器２では、供給用チューブ６からインレット２ａを介して流路２ｃに流入した正圧の圧力空気がジェット気流になって高速低圧化され分岐インレット２ｄに負圧を発生させ、吸引ノズル４，吸引用チューブ９から空気を吸入して負圧の圧力空気を生成させるエジェクタ原理が生ずる。なお、アウトレット２ｂでは、正圧，負圧の圧力空気が合流され拡散によってジェット気流が消失されるため、インレット２ａ側と同程度の圧力の正圧の圧力空気が吐出されることになる。
【００２７】
この中継器２は、作業テーブルＴに設置される板形の基板１０の上に取付けられている。
【００２８】
噴射ノズル３は、先絞りの先端部が作業テーブルＴに向けられた鉤形に形成され、噴射用チューブ８から送られた正圧の圧力空気によって、作業テーブルＴの上にある清浄化対象物Ｍに対して上方から空気を噴射して異物Ｎを吹飛ばして除去するものである。
【００２９】
この噴射ノズル３は、基板１０から立上げられた支柱１１の上部に支持されている。
【００３０】
吸引ノズル４は、相対的に噴射ノズル３よりも広口の筒形に形成され、吸引用チューブ９の負圧の圧力空気によって、作業テーブルＴの上にある清浄化対象物Ｍに対して上方から接近され空気を吸入して異物Ｎを吸込み除去するものである。
【００３１】
この吸引ノズル４は、吸引用チューブ９の吸引ノズル４寄りの先端側吸引用チューブ９ｂに設けられた蛇腹構造のフレキシブル部９ｃによって、作業テーブルＴの上にある清浄化対象物Ｍに対して接近，離間させることのできる可動性を有している。
【００３２】
異物捕捉用フィルタ５は、図３，図４に詳細に示されるように、吸引ノズル４，吸引用チューブ９の先端側吸引用チューブ９ｂから吸込まれた異物Ｎを捕捉して負圧の圧力空気から分離するもので、筒形のケーシング５ａの内部に発泡性樹脂等からなるフィルタ本体５ｄが収容され、両端口に吸引用チューブ９の先端側吸引用チューブ９ｂと先端側吸引用チューブ９ｂの反対側に配置される後端側吸引用チューブ９ａとが接続される栓構造のキャップ５ｃがそれぞれ着脱可能に嵌合されている。従って、図４に示すように、ケーシング５ａから吸引用チューブ９の後端側吸引用チューブ９ａ，先端側吸引用チューブ９ｂとともにキャップ５ｃを取外すように分解すると、簡単にフィルタ本体５ｄで捕捉された異物Ｎを回収したりケーシング５ａの内部を清掃したりすることができる。
【００３３】
この異物捕捉用フィルタ５は、ケーシング５ａの両端部に取付けられる支持金具５ｂによって支柱１１に支持されている。
【００３４】
吸引用チューブ９の中継器２に接続される後端側吸引用チューブ９ａの途中には、中継器２の絞られた流路２ｃへの塵埃の浸入を防止するための除塵用フィルタ１２が接続されている。
【００３５】
この除塵用フィルタ１２は、基板１０の上に取付けられている。
【００３６】
第１例によると、噴射ノズル３による空気を噴射して清浄化対象物Ｍに付着している異物Ｎを吹飛ばす除去と、吸引ノズル４による空気を吸引して清浄化対象物Ｍに付着している異物Ｎを吸込む除去とを選択使用することができる。従って、清浄化対象物Ｍの大きさ，形状，性状等にともなう異物Ｎの付着状態に対応して、噴射ノズル３，吸引ノズル４を選択使用することで、清浄化対象物Ｍへの異物Ｎの付着状態にかかわらず有効に除去機能を発揮することができる。特に、吸引ノズル４が吸引用チューブ９のフレキシブル部９ｃのフレキシブル性を有しているため、吸引ノズル４を作業員が指で掴んで集合された清浄化対象物Ｍの隙間に侵入させる等の可動性を奏させることで、吸引ノズル４の最適の吸引位置を選択して異物Ｎを確実に除去することができる。
【００３７】
そして、この異物Ｎの除去作業では、噴射ノズル３，吸引ノズル４の作用源となる圧力空気の断続をフートスイッチ７により作業員が足で制御することができる。従って、圧力空気の断続のために噴射ノズル３，吸引ノズル４による異物Ｎの除去作業が面倒になることはない。
【００３８】
なお、噴射ノズル３，吸引ノズル４を組合わせ使用することも可能である。例えば、噴射ノズル３で大雑把に異物Ｎを吹飛ばし除去した後に、残存している異物Ｎを吸引ノズル４で１個ずつ吸込み除去する。また、視認できる異物Ｎを吸引ノズル４で１個ずつ吸込み除去した後、仕上げとして噴射ノズル３で視認できない異物Ｎを吹飛ばし除去する。
【００３９】
また、清浄化対象物Ｍについては、作業テーブルＴの定位置に載せられた場合でも、作業テーブルＴの上を搬送される場合でも使用が可能である。また、噴射ノズル３を使用する場合には、清浄化対象物Ｍが載せられた容器Ｐを持って噴射ノズル３に対して接近，離間させる等して、最適の噴射位置を選択して異物Ｎを確実に除去することができる。
【００４０】
さらに、第１例によると、単一の圧力空気源１から中継器２を介して正圧，負圧の双方の圧力空気を生成するため、全体の構造が簡素で装置規模の大型化が避けられる。また、圧力空気源１がコンプレッサとされ、中継器２がエジェクタとされることで、圧力空気源１，中継器２として汎用化され安価に入手しやすい機器が採用されるた。従って、部品コストが低減され安価に製造することができる。
【００４１】
図５は、本考案に係る異物除去装置を実施するための形態の第２例を示すものである。
【００４２】
第２例は、噴射ノズル３に接続される噴射用チューブ８と、吸引ノズル４に接続される吸引用チューブ９（先端側吸引用チューブ９ｂ）とを並列させている。そして、噴射ノズル３，吸引ノズル４の先端部が角度を介して配置させている。
【００４３】
第２例によると、作業員が指で噴射ノズル３，吸引ノズル４を掴んで、噴射ノズル３，吸引ノズル４を選択的に清浄化対象物Ｍに向けることで、異物Ｎの吹飛ばし除去，吸込み除去を迅速に切換えることができる。従って、異物Ｎの除去作業が迅速化される。
【００４４】
以上、図示した各例の外に、噴射ノズル３，吸引ノズル４の双方を固定的に設置して、清浄化対象物Ｍを動かすことで異物Ｎを除去するようにすることも可能である。
【００４５】
さらに、圧力空気源１を負圧の圧力空気を生成するバキュームポンプとし、中継器２を負圧の圧力空気を正圧の圧力空気として吐出させるバルブの組合構造とすることも可能である。
【産業上の利用可能性】
【００４６】
本考案に係る異物除去装置は、精密部品等の広範な清浄化対象物に適用することが可能である。
【符号の説明】
【００４７】
１            圧力空気源
２            中継器
３            噴射ノズル
４            吸引ノズル
５            異物捕捉用フィルタ
Ｍ            清浄化対象物
Ｎ            異物
【図１】
0003166552.tif 000003
【図２】
0003166552.tif 000004
【図３】
0003166552.tif 000005
【図４】
0003166552.tif 000006
【図５】
0003166552.tif 000007